【手続補正書】
【提出日】平成17年11月22日(2005.11.22)
【手続補正１】
【補正対象書類名】明細書
【補正対象項目名】特許請求の範囲
【補正方法】変更
【補正の内容】
【特許請求の範囲】
【請求項１】  コーテッドポリエステルフィルムであって、
（ａ）配向ポリエステルフィルムであり、第１の表面および第２の表面を具えるフィルムと、
（ｂ）前記表面の少なくとも１つの表面上の塗膜であり、
（１）約９０重量％から約９９重量％の少なくとも１種のスルホポリエステルと、
（２）約０．１０重量％から約４重量％の、ポリアクリル酸、アクリルアミド／アクリル酸コポリマー、およびそれらの塩からなる群から選択される少なくとも１種のポリマーと、
（３）約０．５重量％から７．０重量％の少なくとも１種のテトラブロックコポリマー樹脂と、を含有し、
ここで成分（１）、（２）および（３）の重量％は、該塗膜中に存在する成分（１）、（２）および（３）の総重量に基づき、
成分（１）、（２）および（３）は併せて該乾燥塗膜の重量の少なくとも約８５％を構成し、そして
該乾燥塗膜は約０．０５から約０．４０ミクロンの厚さである塗膜と、
を具えることを特徴とするコーテッドフィルム。
【請求項２】  コーテッドポリエステルフィルムを製造する方法であって、前記方法は、延伸中間段階で前記フィルムに塗料組成物を塗布する工程を具え、
前記組成物は、
（１）約９０重量％から約９９重量％の少なくとも１種のスルホポリエステルと、
（２）約０．１０重量％から約４重量％の、ポリアクリル酸、アクリルアミド／アクリル酸コポリマー、およびそれらの塩からなる群から選択される少なくとも１種のポリマーと、
（３）約０．５重量％から７．０重量％の少なくとも１種のテトラブロックコポリマー樹脂と、を含有し、
ここで成分（１）、（２）および（３）の重量％は、該組成物中に存在する成分（１）、（２）および（３）の総重量に基づき、
成分（１）、（２）および（３）は併せて該乾燥塗膜の重量の少なくとも約８５％を構成し、
該組成物は約３重量％から約１８重量％の総固形分を含有することを特徴とする方法。
【手続補正２】
【補正対象書類名】明細書
【補正対象項目名】００５４
【補正方法】変更
【補正の内容】
【００５４】
本発明を記載して以下のものおよびその均等物の権利を請求する。
以下に、本発明の好ましい態様を示す。
１．  コーテッドポリエステルフィルムであって、
（ａ）配向ポリエステルフィルムであり、第１の表面および第２の表面を具えるフィルムと、
（ｂ）前記表面の少なくとも１つの表面上の塗膜であり、
（１）約９０重量％から約９９重量％の少なくとも１種のスルホポリエステルと、
（２）約０．１０重量％から約４重量％の、ポリアクリル酸、アクリルアミド／アクリル酸コポリマー、およびそれらの塩からなる群から選択される少なくとも１種のポリマーと、
（３）約０．５重量％から７．０重量％の少なくとも１種のテトラブロックコポリマー樹脂と、を含有し、
ここで成分（１）、（２）および（３）の重量％は、該塗膜中に存在する成分（１）、（２）および（３）の総重量に基づき、
成分（１）、（２）および（３）は併せて該乾燥塗膜の重量の少なくとも約８５％を構成し、そして
該乾燥塗膜は約０．０５から約０．４０ミクロンの厚さである塗膜と、
を具えることを特徴とするコーテッドフィルム。
２．  ポリアクリル酸、アクリルアミド／アクリル酸コポリマー、およびそれらの塩からなる群から選択される前記少なくとも１種のポリマーは、アクリルアミド／アクリル酸コポリマーおよび該コポリマーの塩からなる群から選択されることを特徴とする１．に記載のコーテッドフィルム。
３．  前記少なくとも１種のポリマーは、２０，０００より大きい分子量を有することを特徴とする２．に記載のコーテッドフィルム。
４．  前記テトラブロックコポリマー樹脂は、エチレンジアミンへのエチレンオキサイド、ついでプロピレンオキサイドの逐次添加から誘導されることを特徴とする３．に記載のコーテッドフィルム。
５．  前記ポリエステルフィルムは、ポリエチレンテレフタレートフィルムおよびポリエチレンナフタレートフィルムからなる群から選択されることを特徴とする３．に記載のコーテッドフィルム。
６．  前記塗膜は、乾燥塗膜の総重量に基づいて、２重量％から約７重量％の微粉砕された粒状材料をさらに含有することを特徴とする５．に記載のコーテッドフィルム。
７．  前記塗膜は、乾燥塗膜の総重量に基づいて、１重量％から約５重量％の界面活性剤をさらに含有することを特徴とする６．に記載のコーテッドフィルム。
８．  前記塗膜は、約０．１ミクロンから約０．２ミクロンの厚さを有することを特徴とする７．に記載のコーテッドフィルム。
９．  前記フィルムはポリエチレンテレフタレートフィルムであることを特徴とする８．に記載のコーテッドフィルム。
１０．  前記塗膜は、約０．１２ミクロンから約０．１８ミクロンの厚さを有することを特徴とする９．に記載のコーテッドフィルム。
１１．  前記フィルムは、該フィルムの第２表面に塗膜をさらに具えることを特徴とする５．に記載のコーテッドフィルム。
１２．  前記塗膜は、  
（１）約９６重量％から約９９重量％の少なくとも１種のスルホポリエステルと、  
（２）約１．０重量％から約３．０重量％の少なくとも１種のテトラブロックコポリマー樹脂と、
（３）約０．２重量％から約１．０重量％の、ポリアクリル酸、アクリルアミド／アクリル酸コポリマー、およびそれらの塩からなる群から選択される少なくとも１種のポリマーと、を含有し、
そして、成分（１）、（２）および（３）は併せて該乾燥塗膜の重量の少なくとも約８５％を構成することを特徴とする５．に記載のコーテッドフィルム。
１３．  （１）ポリアクリル酸、アクリルアミド／アクリル酸コポリマー、およびそれらの塩からなる群から選択される前記少なくとも１種のポリマーは、２００万より大きい分子量を有し、および該ポリマーは、約２５重量％から約６０重量％のアクリル酸を含有し、そして（２）前記テトラブロックコポリマー樹脂は、エチレンジアミンへのエチレンオキサイド、ついでプロピレンオキサイドの逐次添加から誘導されることを特徴とする１２．に記載のコーテッドフィルム。
１４．  前記フィルムはポリエチレンテレフタレートフィルムであることを特徴とする１３．に記載のコーテッドフィルム。
１５．  前記塗膜は、乾燥塗膜の総重量に基づいて、２重量％から約７重量％の微粉砕された粒状材料をさらに含有することを特徴とする１４．に記載のコーテッドフィルム。
１６．  前記塗膜は、乾燥塗膜の総重量に基づいて、１重量％から約５重量％の界面活性剤をさらに含有することを特徴とする１５．に記載のコーテッドフィルム。
１７．  前記塗膜は、約０．１ミクロンから約０．２ミクロンの厚さを有することを特徴とする１６．に記載のコーテッドフィルム。
１８．  前記塗膜は、約０．１２ミクロンから約０．１８ミクロンの厚さを有することを特徴とする１７．に記載のコーテッドフィルム。
１９．  コーテッドポリエステルフィルムを製造する方法であって、前記方法は、延伸中間段階で前記フィルムに塗料組成物を塗布する工程を具え、
前記組成物は、
（１）約９０重量％から約９９重量％の少なくとも１種のスルホポリエステルと、
（２）約０．１０重量％から約４重量％の、ポリアクリル酸、アクリルアミド／アクリル酸コポリマー、およびそれらの塩からなる群から選択される少なくとも１種のポリマーと、
（３）約０．５重量％から７．０重量％の少なくとも１種のテトラブロックコポリマー樹脂と、を含有し、
ここで成分（１）、（２）および（３）の重量％は、該組成物中に存在する成分（１）、（２）および（３）の総重量に基づき、
成分（１）、（２）および（３）は併せて該乾燥塗膜の重量の少なくとも約８５％を構成し、
該組成物は約３重量％から約１８重量％の総固形分を含有することを特徴とする方法。
２０．  （１）ポリアクリル酸、アクリルアミド／アクリル酸コポリマー、およびそれらの塩からなる群から選択される前記少なくとも１種のポリマーは、アクリルアミド／アクリル酸コポリマーおよびその塩からなる群から選択され、２００万より大きい分子量を有し、および約２５重量％から約６０重量％のアクリル酸を含有し、（２）前記フィルムはポリエチレンテレフタレートフィルムであり、そして（３）前記テトラブロックコポリマー樹脂は、エチレンジアミンへのエチレンオキサイド、ついでプロピレンオキサイドの逐次添加から誘導されることを特徴とする１９．に記載の方法。